【手続補正書】
【提出日】平成31年4月3日(2019.4.3)
【手続補正１】
【補正対象書類名】特許請求の範囲
【補正対象項目名】請求項２０
【補正方法】変更
【補正の内容】
【請求項２０】
前記ｕ色系はシアン、マゼンタ、イエロー及びブラックの４色を用いるＣＭＹＫの４色系であり、前記ｐ色系は、赤、緑及び青の３色を用いるＲＧＢの３色系であり、
ＣＭＹＫの各色の信号及びＲＧＢの各色の信号がそれぞれ０から１の範囲の値に規格化された信号である場合に、
前記ｐ色−ｕ色変換処理部は、
Ｃ＝（１−Ｒ）、Ｍ＝（１−Ｇ）、Ｙ＝（１−Ｂ）、及びＫ＝０の対応関係を用いて、４色系の画像データを３色系の画像データに変換する請求項１９に記載の色変換テーブル作成装置。
【手続補正２】
【補正対象書類名】明細書
【補正対象項目名】０００５
【補正方法】変更
【補正の内容】
【０００５】
［ステップ２］ディスティネーションプロファイルの作成
ディスティネーション側の印刷装置も同様にして、カラーチャート画像データを使ってカラーチャートを出力し、カラーチャート印刷物を測色器によって測色することで、デバイス非依存色空間における色の値とＣＭＹＫ（又はＲＧＢ）の値との対応付けを行い、ディスティネーションプロファイルを作成する。ディスティネーションプロファイルは出力側のプロファイルであり、「出力プロファイル」と同義である。
【手続補正３】
【補正対象書類名】明細書
【補正対象項目名】０００６
【補正方法】変更
【補正の内容】
【０００６】
［ステップ３］プロファイルを利用した色変換処理と画像出力の実行
目標印刷物との色を合わせたい印刷原稿の画像データを、ソースプロファイル及びディスティネーションプロファイルを通して色変換の信号処理を行い、変換後の画像データを基にディスティネーション側の印刷装置によって印刷を行う。こうすることで、ソース側の印刷装置によって出力される出力画像の色と、ディスティネーション側の印刷装置によって出力された目標印刷物の色とを合わせることができる。
【手続補正４】
【補正対象書類名】明細書
【補正対象項目名】０００８
【補正方法】変更
【補正の内容】
【０００８】
特許文献１に記載の技術により作成されたソースプロファイルを使って、目標印刷物と色を合わせた印刷物を出力する際には、既述のとおり、必ず出力デバイスである印刷装置のプロファイル、つまり、ディスティネーションプロファイルが必要である。特許文献１に記載されている「プリンタプロファイル」は、ディスティネーションプロファイルに相当する。
【手続補正５】
【補正対象書類名】明細書
【補正対象項目名】００１０
【補正方法】変更
【補正の内容】
【００１０】
しかし、特許文献１に記載のシステムを用いて色見本のソースプロファイルを作成し、その一方で、ディスティネーションプロファイルについては、上記の［ステップ２］で説明した方法によって測色器を用いて作成した場合、ソース側のプロファイルとディスティネーション側のプロファイルのそれぞれを異なる測色器を使って測色した値を基に各プロファイルを作成したことと同じになり、カラーマッチング精度が悪くなる。
【手続補正６】
【補正対象書類名】明細書
【補正対象項目名】００４５
【補正方法】変更
【補正の内容】
【００４５】
第２０態様として、第１９態様の色変換テーブル作成装置において、ｕ色系はシアン、マゼンタ、イエロー及びブラックの４色を用いるＣＭＹＫの４色系であり、ｐ色系は、赤、緑及び青の３色を用いるＲＧＢの３色系であり、ＣＭＹＫの各色の信号及びＲＧＢの各色の信号がそれぞれ０から１の範囲の値に規格化された信号である場合に、ｐ色−ｕ色変換処理部は、Ｃ＝（１−Ｒ）、Ｍ＝（１−Ｇ）、Ｙ＝（１−Ｂ）、及びＫ＝０の対応関係を用いて、４色系の画像データを３色系の画像データに変換する構成とすることができる。
【手続補正７】
【補正対象書類名】明細書
【補正対象項目名】００５６
【補正方法】変更
【補正の内容】
【００５６】
【図１】図１は、本発明の実施形態に係る色変換テーブル作成装置を含んだ印刷システムのシステム構成を示すブロック図である。
【図２】図２は、印刷システムの全体概要を示したブロック図である。
【図３】図３は、印刷システムの第１の主要構成を示したブロック図である。
【図４】図４は、第１の主要構成の変形例を示すブロック図である。
【図５】図５は、第２の主要構成を示すブロック図である。
【図６】図６は、第２の主要構成による処理の手順を示したフローチャートである。
【図７】図７は、画像対応付け部における画像の位置合わせ処理の具体例を示したブロック図である。
【図８】図８は、原稿画像データの例を示す図である。
【図９】図９は、目標印刷物の例を示す図である。
【図１０】図１０は、前処理を含む画像対応付けの処理を行う構成のブロック図である。
【図１１】図１１は、原稿画像信号と色度値の対応データの例を示す図表である。
【図１２】図１２は、色変換テーブルの入力側に相当する原稿画像データの色空間（ここではＣＭ面）の格子点を表す説明図である。
【図１３】図１３は、ノイゲバウア（Neugebauer）モデルによる色度値の算出方法の説明図である。
【図１４】図１４は、第２の色変換部に関する要部ブロック図である。
【図１５】図１５は、原稿画像信号と目標色度値と印刷色度値と差分色度値の対応データの例を示す図表である。
【図１６】図１６は、色補正テーブルを用いる場合の概念図である。
【図１７】図１７は、色抽出方法の例を示すフローチャートである。
【図１８】図１８は、第１類型の色変換テーブル作成装置によって印刷装置のプリンタプロファイルを作成する処理の流れを示したブロック図である。
【図１９】図１９は、図１８に示した構成の動作を表すフローチャートである。
【図２０】図２０は、第２類型に属する色変換テーブル作成装置によって印刷装置のプリンタプロファイルを作成する処理の流れを示したブロック図である。
【図２１】図２１は、図２０に示した構成の動作を表すフローチャートである。
【図２２】図２２は、カラーチャートの一例を示す図である。
【図２３】図２３は、カラーチャートの他の例を示す図である。
【図２４】図２４は、グラデーションチャートであるカラーチャートの一部を示した図である。
【図２５】図２５は、カラーチャートの一部を示す拡大図である。
【図２６】図２６は、一般画像を用いて作成されたプロファイルの色領域カバー情報を提供するＧＵＩ（graphical user interface）画面の例を示す図である。
【図２７】図２７は、入力データの指定操作画面の例を示す図である。
【図２８】図２８は、不足領域画像データを作成する機能を提供する色変換テーブル作成装置の構成の例を示すブロック図である。
【図２９】図２９は、不足領域画像データを作成する機能を提供する色変換テーブル作成装置の他の構成例を示すブロック図である。
【図３０】図３０は、スキャナプロファイルを選択できる手段を備えた印刷システムの構成例を示すブロック図である。
【図３１】図３１は、スキャナプロファイルを選択できる手段を備えた印刷システムの他の構成例を示すブロック図である。
【図３２】図３２は、実施形態に係る色変換テーブル作成装置を含んだ４色−４色変換システムの構成を簡略化して示したブロック図である。
【図３３】図３３は、４色−４色変換システムを３色−３色変換システムに応用する例を示したブロック図である。
【図３４】図３４は、３色−３色変換システムによるプロファイル作成処理の手順の例を示したフローチャートである。
【図３５】図３５は、３色−３色変換システムによる色変換処理の手順の例を示したフローチャートである。
【図３６】図３６は、４色以上の多色系（ｕ色系）のｕ色−ｕ色変換システムを、より少ない色数系（ｐ色系）のｐ色−ｐ色変換システムに応用する例を示したブロック図である。
【図３７】図３７は、４色以上の多色系（ｕ色系）のシステムを、より少ない色数系（ｐ色系）に適用する場合の色変換テーブル作成装置の構成例を示したブロック図である。
【図３８】図３８は、コンピュータのハードウェア構成の例を示すブロック図である。
【手続補正８】
【補正対象書類名】明細書
【補正対象項目名】０２３３
【補正方法】変更
【補正の内容】
【０２３３】
図１４に示した入力色変換テーブル選択部１６２は、原稿画像信号と色度値の対応関係データ１６４に基づき、色変換テーブルデータベース１６０の中から、原稿画像信号に対する読取色度値とプロファイル色度値の平均色差や最大色差が最も小さくなるものを選択する処理を行う。
【手続補正９】
【補正対象書類名】明細書
【補正対象項目名】０２５０
【補正方法】変更
【補正の内容】
【０２５０】
Ｐ３１，Ｐ３２，Ｐ３４の格子点についても同様に、それぞれ元のＬａｂ値に、差分Ｌａｂ＝（０，−３，＋３）を加算して、Ｌａｂ値を修正する。
【手続補正１０】
【補正対象書類名】明細書
【補正対象項目名】０３０９
【補正方法】変更
【補正の内容】
【０３０９】
こうして作成されたプリンタプロファイルをディスティネーションプロファイル（出力プロファイル）として使うことにより、カラーマッチング精度を向上させることができる。
【手続補正１１】
【補正対象書類名】明細書
【補正対象項目名】０３３７
【補正方法】変更
【補正の内容】
【０３３７】
図２１のステップＳ３１０を実行することにより、カラーチャート読取色度値画像データが得られる。カラーチャート読取色度値画像データは「第１の印刷物読取し輝度値画像データ」の一例に相当する。
【手続補正１２】
【補正対象書類名】明細書
【補正対象項目名】０３４３
【補正方法】変更
【補正の内容】
【０３４３】
すなわち、図２２に示すカラーチャート４６におけるカラーパッチ４７の１区画は、画像読取部３０の読取分解能から規定される読取画素の１画素分の面積よりも大きく、かつ、一辺が６ミリメートルの正方形よりも小さい面積とすることができる。カラーパッチ４７の１区画のサイズは、好ましくは、一辺が３ミリメートル以下の正方形よりも小さいサイズであり、より好ましくは、一辺が２ミリメートル以下の正方形よりも小さいサイズであり、更に好ましくは、一辺が１ミリメートル以下の正方形よりも小さいサイズである。パッチサイズが小さいほど、より少ない紙面面積でカラーチャートを印刷することができ、色の測定に際して、ローカリティの影響を受けにくくなる。パッチサイズの下限は、画像読取部３０の読取分解能から規定される読取画素のサイズとすることができる。読取分解能は読取解像度と同義である。
【手続補正１３】
【補正対象書類名】明細書
【補正対象項目名】０４０１
【補正方法】変更
【補正の内容】
【０４０１】
ユーザが不足領域指定操作部２９２Ｃを操作して、不足領域を指定すると、デジタルデータ作成部２９６は、指定に係る不足領域画像データ２９８を作成する。デジタルデータ作成部２９６により作成された不足領域画像データ２９８を印刷装置１８に与え、不足領域画像データの印刷物を得る。不足領域画像データの印刷物を「不足領域画像印刷物」と呼ぶ。こうして得られた不足領域画像印刷物を画像読取部３０によって読み取り、不足領域画像印刷物の読取画像を取得する。
【手続補正１４】
【補正対象書類名】明細書
【補正対象項目名】０４２５
【補正方法】変更
【補正の内容】
【０４２５】
第１の色変換テーブル選択部２５２は、ユーザインターフェース２５４から得られる情報２５５Ａを基に、第１の色変換テーブルデータベース２５０の中から適切な１つのスキャナプロファイルを選択する処理を行う。第１の色変換テーブル選択部２５２による選択処理を経て得られた第１の色変換テーブル６８Ａが、第１の色変換部６４に適用される。第１の色変換テーブル選択部２５２は、画像編集装置１２（図１参照）における処理部の１つとして構成される。
【手続補正１５】
【補正対象書類名】明細書
【補正対象項目名】０４３９
【補正方法】変更
【補正の内容】
【０４３９】
第２の色変換部８０は、入力されたＣＭＹＫの原稿画像データ４０に対して、入力プロファイル２６２と出力プロファイル２６４を用いてＣＭＹＫ→ＣＭＹＫの変換処理を行い、ＣＭＹＫの印刷画像データ１７０を生成する。こうして、４色−４色変換システム２６０によって生成された印刷画像データ１７０がＣＭＹＫ４色対応の印刷装置１８に送られ、印刷が実行される。
【手続補正１６】
【補正対象書類名】明細書
【補正対象項目名】０４４４
【補正方法】変更
【補正の内容】
【０４４４】
３色−３色変換システム２８０は、３色−４色変換処理部２８２と、４色−４色変換システム２６０と、４色−３色変換処理部２８４と、を含む。３色−４色変換処理部２８２は、４色−４色変換システム２６０による処理の前段において、３色→４色変換の処理を行う。３色−４色変換処理部２８２は、第１の３色−４色変換処理部２８２Ａと、第２の３色−４色変換処理部２８２Ｂと、を含んで構成されてもよい。第１の３色−４色変換処理部２８２Ａは、入力プロファイル２６２として用いるＣＭＹＫ−Ｌａｂプロファイル２６２Ａを作成する際に、与えられたＲＧＢの原稿画像データ４０ＡをＣＭＹＫの原稿画像データ４０Ｂに変換する処理を行う。
【手続補正１７】
【補正対象書類名】明細書
【補正対象項目名】０４４７
【補正方法】変更
【補正の内容】
【０４４７】
第１の３色−４色変換処理部２８２Ａによる変換処理と、第２の３色−４色変換処理部２８２Ｂによる変換処理は、それぞれ異なる色変換テーブルを用いることができる。第１の３色−４色変換処理部２８２Ａによる変換処理と、第２の３色−４色変換処理部２８２Ｂによる変換処理は、同じ色変換テーブルを用いてもよく、その場合、第１の３色−４色変換処理部２８２Ａと第２の３色−４色変換処理部２８２Ｂとを共通化して１つの３色−４色変換処理部とすることができる。
【手続補正１８】
【補正対象書類名】明細書
【補正対象項目名】０４８３
【補正方法】変更
【補正の内容】
【０４８３】
また、第１のｐ色−ｕ色変換処理部３０２Ａは、ｐ色系の原稿画像データ４０Ｃから、第２の色変換部８０による処理を経て、ｐ色系の印刷画像データ１７０Ｂに変換する際に、ｐ色系の原稿画像データ４０Ｃをｕ色系の原稿画像データ４０Ｄに変換する処理を行う。
【手続補正１９】
【補正対象書類名】明細書
【補正対象項目名】０５０５
【補正方法】変更
【補正の内容】
【０５０５】
なお、カメラによって撮影して得られる撮影画像が「読取画像」に相当する。「撮影」という用語は「撮像」と同義である。カメラは撮像素子としての二次元イメージセンサを有し、撮影した光学像を電子画像データに変換し、撮影画像を表すカラー画像としての撮影画像データを生成する。カメラの具体的な形態は特に限定されない。カメラは、二次元イメージセンサの受光面の各感光画素に対応してＲ，Ｇ，Ｂのカラーフィルタがモザイク状に配列された単板式の撮像装置であってもよいし、入射光をＲ，Ｇ，Ｂの色成分に分ける色分解光学系とＲ，Ｇ，Ｂの各チャンネルについて、チャンネルごとに二次元イメージセンサを備えた三板式の撮像装置であってもよい。
【手続補正２０】
【補正対象書類名】明細書
【補正対象項目名】０５０７
【補正方法】変更
【補正の内容】
【０５０７】
画像編集装置１２として機能するコンピュータは、ＣＰＵ（Central Processing Unit）３８１と、メモリ３８２と、ストレージ３８３と、入力インターフェース部３８４と、ネットワーク接続用の通信インターフェース部３８５と、表示制御部２９１と、周辺機器用インターフェース部３８７と、バス３８８と、を備える。図３８において「ＩＦ」の表記は「インターフェース」を表す。